(57)【要約】【課題】重量物を収納して搬送するのに好適な容器を提供する。【解決手段】発泡性合成樹脂製の容器本体３及び蓋体４を備え、容器本体３は本体側壁３１の高さ方向端部の全周に亘って形成された嵌合用凹部５を該端部の内側縁部に備え、蓋体４は蓋体側壁４１の高さ方向端部の全周に亘って形成された嵌合用凸部６を備え、該嵌合用凹部５と該嵌合用凸部６とが嵌合することで容器本体３と蓋体４とが着脱自在とされ、前記容器本体３及び前記蓋体４における前記略矩形状の短辺側側壁の外面よりも更に外方に突出した把持部３３１，４３１を備え、前記容器本体３に前記蓋体４が装着された状態において、前記容器本体側の把持部３３１における下部に荷役者等の親指以外の指が掛けられ、前記蓋体側の把持部４３１における上部に荷役者等の親指が掛けられるように構成されている。【選択図】図２
2014172637.tif 000002
【特許請求の範囲】
【請求項１】
発泡性合成樹脂製の容器本体及び蓋体を備え、容器本体は、略矩形状の底壁と、該底壁の表側外周縁部に立設され高さ方向端部を容器本体の開口部とする枠状の本体側壁とを備え、蓋体は、略矩形状の天壁と、該天壁の裏側外周縁部から垂設され高さ方向端部を蓋体の開口部とする枠状の蓋体側壁とを備え、
前記容器本体は本体側壁の高さ方向端部の全周に亘って形成された嵌合用凹部を該端部の内側縁部に備え、前記蓋体は蓋体側壁の高さ方向端部の全周に亘って形成され前記本体側壁における嵌合用凹部に対応する位置に形成された嵌合用凸部を備え、該嵌合用凹部と該嵌合用凸部とが互いに前記各側壁の高さ方向で着脱自在に嵌合することで容器本体と蓋体とが着脱自在とされ、
前記容器本体及び前記蓋体における前記略矩形状の短辺側での各側壁の外面よりも更に外方に突出した把持部を備え、
前記容器本体側の把持部及び前記蓋体側の把持部は、前記容器本体に前記蓋体が装着された状態において高さ方向に組み合わされ、この組み合わされた状態で、前記容器本体側の把持部における下部に荷役者等の親指以外の指が掛けられ、前記蓋体側の把持部における上部に荷役者等の親指が掛けられるように構成されている容器。
【請求項２】
前記容器本体及び前記蓋体における前記略矩形状の短辺側での各側壁の外面に、該外面の幅方向全長に亘って、該外面よりも更に外方に突出した突出部が形成され、
前記把持部は、前記突出部における前記幅方向の中央部分である請求項１に記載の容器。
【請求項３】
ケースに収納された状態の瓶入り飲料を該ケースごと収納でき、
前記容器本体は、内面高さ寸法が収納されるケースの高さ寸法よりも小さい請求項１または２に記載の容器。
【請求項４】
前記容器本体の内面高さ寸法と前記蓋体の内面高さ寸法との比率が３：１〜５：１である請求項３に記載の容器。
【発明の詳細な説明】
【技術分野】
【０００１】
本発明は、発泡性合成樹脂で形成された容器本体と蓋体とからなる容器に関する。
【背景技術】
【０００２】
従来、食品等を保冷または保温して搬送できる容器が存在する。例えば、特許文献１に記載の「折り畳み式保冷保温ボックス」がある。これは、有底の袋体とこの袋体の開口部を閉じる蓋体とを備える。袋体及び蓋体には、表面にアルミ蒸着シートを備えた発泡材が用いられており、折り畳み可能に構成されている。
【０００３】
ところで、重量物を前記容器に収納して搬送することがある。例えば、ケースに収納された状態の瓶入り飲料（瓶入りビール等）をケースごと保冷しつつ、例えば酒店から飲食店や一般家庭まで搬送したり、各家庭にて自宅からキャンプ場やバーベキュー会場に搬送したりすることがある。
【先行技術文献】
【特許文献】
【０００４】
【特許文献１】特開平８−５８８４７号公報
【発明の概要】
【発明が解決しようとする課題】
【０００５】
ところが、特許文献１に記載の容器は、折り畳み可能である点で便利ではあるものの、袋体であることから容器自体の強度が小さい。このため、重量物（一例として、前記ケースに収納された状態の瓶入り飲料）を収納して搬送するには適していない。
【０００６】
そこで本発明は、重量物を収納して搬送するのに好適な容器を提供することを課題とする。
【課題を解決するための手段】
【０００７】
本発明は、発泡性合成樹脂製の容器本体及び蓋体を備え、容器本体は、略矩形状の底壁と、該底壁の表側外周縁部に立設され高さ方向端部を容器本体の開口部とする枠状の本体側壁とを備え、蓋体は、略矩形状の天壁と、該天壁の裏側外周縁部から垂設され高さ方向端部を蓋体の開口部とする枠状の蓋体側壁とを備え、前記容器本体は本体側壁の高さ方向端部の全周に亘って形成された嵌合用凹部を該端部の内側縁部に備え、前記蓋体は蓋体側壁の高さ方向端部の全周に亘って形成され前記本体側壁における嵌合用凹部に対応する位置に形成された嵌合用凸部を備え、該嵌合用凹部と該嵌合用凸部とが互いに前記各側壁の高さ方向で着脱自在に嵌合することで容器本体と蓋体とが着脱自在とされ、前記容器本体及び前記蓋体における前記略矩形状の短辺側での各側壁の外面よりも更に外方に突出した把持部を備え、前記容器本体側の把持部及び前記蓋体側の把持部は、前記容器本体に前記蓋体が装着された状態において高さ方向に組み合わされ、この組み合わされた状態で、前記容器本体側の把持部における下部に荷役者等の親指以外の指が掛けられ、前記蓋体側の把持部における上部に荷役者等の親指が掛けられるように構成されている容器である。
【０００８】
前記構成において、短辺側での各側壁から把持部が外方に突出し、容器本体側の把持部には荷役者等の親指以外の指が掛けられように構成されており、蓋体側の把持部には荷役者等の親指が掛けられるように構成されている。このため、重量物が収納されていても荷役者等が容器を安定して持ち上げることができる。
【０００９】
また、前記容器本体及び前記蓋体における前記略矩形状の短辺側での各側壁の外面に、該外面の幅方向全長に亘って、該外面よりも更に外方に突出した突出部が形成され、前記把持部は、前記突出部における前記幅方向の中央部分とできる。
【００１０】
前記構成において、外面の幅方向全長に亘って突出部が形成されるため、短辺側での各側壁の厚みを幅方向全長に亘って大きくできる。これにより、該側壁の強度が確保され、荷役者等が重量物の収納された容器を持ち上げた際の該容器の変形を抑制できる。
【００１１】
また、ケースに収納された状態の瓶入り飲料を該ケースごと収納でき、前記容器本体は、内面高さ寸法が収納されるケースの高さ寸法よりも小さい。前記構成において、蓋体を容器本体から取り外すとケースの上部が露出した状態となる。このことから、荷役者等が容器本体からケースを取り出すことが容易である。
【００１２】
また、前記容器本体の内面高さ寸法と前記蓋体の内面高さ寸法との比率が３：１〜５：１とできる。
【発明の効果】
【００１３】
本発明の容器では、把持部を備えることにより、重量物が収納されていても荷役者等が容器を安定して持ち上げることができる。このため、この容器は重量物を収納して搬送するのに好適である。
【図面の簡単な説明】
【００１４】
【図１】本発明の一実施形態を表す容器の分解斜視図である。
【図２】同容器の容器本体と蓋体とを分離した状態の縦断面図である。
【発明を実施するための形態】
【００１５】
以下、本発明に係る容器の一実施形態について、図面を参照しつつ説明する。本実施形態の容器１は、被搬送物である重量物、一例として、硬質樹脂製のケースに収納された瓶入り飲料（瓶入りビール等）を収納することができる箱型状に形成されている。この容器１は、例えば、飲料を保冷しつつ、酒店から搬送先（飲食店や一般家庭）まで搬送する際に使用したり、各家庭にて自宅からキャンプ場やバーベキュー会場に搬送する際に使用したりする際に用いられる。
【００１６】
図１及び図２に示すように、容器１は、上端部に開口部２ａを有する発泡性合成樹脂製の容器本体３と、容器本体３の開口部２ａを閉じて容器本体３内をほぼ密封状態にするための発泡性合成樹脂製の蓋体４とを備える。発泡性合成樹脂としては、特に限定されないが、例えば発泡ポリスチレン、発泡ポリエチレン、発泡ポリプロピレン等の各種発泡性合成樹脂が利用できる。また、以下の説明は、容器１の短辺方向を左右方向とし、容器１の長辺方向を前後方向とする。また、上下方向については図示した状態を基準とする。
【００１７】
容器本体３は、左右方向、前後方向のそれぞれにおいて対称形状である底壁３０と本体側壁３１とを備える。以下、底壁３０において、その上面は表面と称し、下面は裏面と称する。底壁３０は、平面視略矩形の平板状に形成されている。底壁３０の表面３０ｃは容器本体３の底面に相当し、ケースＣを支持する面である。底壁３０の表面３０ｃは平坦面である。また、底壁３０の裏面３０ｄは、表面３０ｃと平行な平坦面である。したがって、底壁３０の裏面３０ｄにおいて、その外周部領域３０ａは平坦な面である。外周部領域３０ａで囲まれる内側部分は、底壁３０の裏面３０ｄから下方に突出した突出部３０ｂである。突出部３０ｂは、底壁３０の裏面３０ｄに一体的に形成されている。また、突出部３０ｂの下面３００ｂは平坦な面に形成されている。
【００１８】
本体側壁３１は、底壁３０の表面３０ｃの外周縁部から上方に立ち上げられていることで、矩形枠状に形成されている。本体側壁３１は、左右側壁３１０，３１０及び前後側壁３２０，３２０から構成されている。左右側壁３１０，３１０は、底壁３０の一対の長辺である左右の縁部から上方に立ち上げられ、左右方向で互いに対向している。前後側壁３２０，３２０は、底壁３０の一対の短辺である前後の縁部から上方に立ち上げられ、前後方向で互いに対向している。この本体側壁３１により、本体側壁３１の高さ方向端部である上端面が開口部２ａに一致する略直方体状の空間が形成される。また、本体側壁３１の高さ方向端部の全周に亘って嵌合用凹部５が形成されている。
【００１９】
対向する左右側壁３１０，３１０の内面間の距離、及び、対向する前後側壁３２０，３２０の内面間の距離は、瓶入り飲料Ｂを収納したケースＣ（図２に二点鎖線で示す）の外形寸法よりも大きい。また、底壁３０の表面３０ｃから本体側壁３１における側壁本体部３１１の高さ方向端部に位置し、蓋体４との接合面である上端面３１１ａまでの垂直距離（容器本体３の内面高さ寸法）は、ケースＣの高さ寸法よりも小さい。
【００２０】
前後側壁３２０，３２０のそれぞれ前後方向外面（以下単に、外面と称する）における左右方向中心部には、荷役者や容器１のユーザー等が指を掛けて容器１を把持するための本体側把持部３３１が形成されている。この本体側把持部３３１は、前後側壁３２０，３２０のうち上部が該前後側壁３２０，３２０の幅方向（左右方向）全長に亘り、該側壁の外面よりも更に外方に突出して形成された本体突出部３３における幅方向中央部であり、その下部（本実施形態では下面３３１ａ）に荷役者等の指（具体的には親指以外の指）が掛けられる。本実施形態では、本体側把持部３３１における前後側壁３２０，３２０の外面からの突出寸法は２０mm〜４０mmで形成され、本体側把持部３３１の高さ寸法は４０mm〜７０mmで形成される。前後側壁３２０，３２０の外面から本体突出部３３が外方に突出したことにより、この本体突出部３３の分、前後側壁３２０，３２０の厚みが大きくなったことになる。このため、前後側壁３２０，３２０の強度が確保される。また、本体側把持部３３１が前記寸法とされたことにより、容器本体３に蓋体４が装着された状態において、本体側把持部３３１と、この本体側把持部３３１に高さ方向に組み合わされている蓋体側把持部４３１（後述）とに荷役者等の指を同時に掛けることができる。よって、容器１に重量物が収納されていても、各把持部３３１，４３１に対して荷役者等の指が上下から添えられることにより、荷役者等が容器１を安定して持ち上げることができる。
【００２１】
また、本体突出部３３のうち、本体側把持部３３１以外の左右部分の下方には肉厚部３２が形成されている。この肉厚部３２は、荷役者や容器１のユーザー等が本体側把持部３３１に指を掛けて容器１を持ち上げた際に、本体突出部３３に集中的にかかる荷重（瓶入り飲料Ｂを収納したケースＣの荷重）の一部を負担する。この肉厚部３２のため、本体側把持部３３１の下方部分は見かけ上凹部のようになっている。なお、この肉厚部３２は本発明において必須ではなく、肉厚部３２が形成されなくても構わない。
【００２２】
左右側壁３１０，３１０の外面は、下方側ほど（底壁３０の表面３０ｃ側に近付くほど）内側となる傾斜面に形成されている。また、左右側壁３１０，３１０の厚み方向内面（以下単に、内面と称する）は、下方側ほど内側となる傾斜面に形成されている。このような傾斜面は、製造金型の抜き勾配によって得られ、製造金型に対する容器本体３の離型性を確保するために、製造金型によって傾斜して形成される。なお、前記傾斜面の傾斜角度は１°に設定されているため、図面上では把握でき難い。前後側壁３２０，３２０に関しても同様である。
【００２３】
本体側把持部３３１の表面における外側縁部には開蓋用凹部３３２が形成されている。開蓋用凹部３３２は、容器本体３に装着された蓋体４における蓋体側把持部４３１の裏面に指を掛けて容器本体３に対して蓋体４を持ち上げる際に指先が入り込む部分である。
【００２４】
また、本体側壁３１（左右側壁３１０，３１０及び前後側壁３２０，３２０）は、前記嵌合用凹部５を備えている。嵌合用凹部５は、本体側壁３１の側壁本体部３１１の高さ方向端部に位置する水平面である上端面３１１ａから、本体側壁３１の内側縁部の全周に亘って一段低く形成されており、略垂直面である側壁５１と、水平面である上面５２とを備える。
【００２５】
蓋体４は、左右方向、前後方向のそれぞれにおいて対称形状である天壁４０と蓋体側壁４１とを備える。以下、天壁４０において、上面は表面と称し、下面は裏面と称する。天壁４０は平面視略矩形の平板状に形成されている。天壁４０の表面４０ａは平坦面である。また、天壁４０の裏面４０ｂは、表面４０ａと平行な平坦面である。
【００２６】
蓋体側壁４１は、天壁４０の裏面４０ｂの外周縁部から下方に垂れ下げられていることで、矩形枠状に形成されている。蓋体側壁４１は、左右側壁４１０，４１０及び前後側壁４２０，４２０から構成されている。左右側壁４１０，４１０は、天壁４０の一対の長辺である左右の縁部から下方に垂れ下げられ、左右方向で互いに対向している。前後側壁４２０，４２０は、天壁４０の一対の短辺である前後の縁部から下方に垂れ下げられ、前後方向で互いに対向している。この蓋体側壁４１により、蓋体側壁４１の高さ方向端部である下端面が開口部２ｂに一致する略直方体状の空間が形成される。この蓋体４における空間は、容器本体３に蓋体４が装着されることで、前記容器本体３に形成される空間とつながる。このつながった空間はケースＣよりも大きな空間である。本実施形態における前記つながった空間は、左右方向で約３８０mm、前後方向で約４７０mm、上下方向で約３２０mmとされ、角部にアールを有する直方体状の空間である。この空間には大瓶用のビールケースを配置できる。
【００２７】
蓋体側壁４１は、天壁４０に直接的に連続する側壁本体部４１１と、側壁本体部４１１の高さ方向端部に位置する水平面である下端面４１１ａから全周に亘って下方に突出した嵌合用凸部６とから一体的に形成されている。この嵌合用凸部６は、前記嵌合用凹部５に対応する位置に形成され、嵌合用凹部５と嵌合用凸部６とが互いに本体側壁３１及び蓋体側壁４１の高さ方向で着脱自在に嵌合することで容器本体３と蓋体４とが着脱自在とされる。
【００２８】
容器本体３と同じく、対向する左右側壁４１０，４１０の内面間の距離、及び、対向する前後側壁４２０，４２０の内面間の距離は瓶入り飲料Ｂを収納したケースＣ（図２に二点鎖線で示す）の外形寸法よりも大きい。また、天壁４０の裏面４０ｂから側壁本体部４１１における高さ方向端部に位置し、容器本体３との接合面である下端面４１１ａまでの垂直距離（蓋体４の内面高さ寸法）は、容器本体３に収納されたケースＣ（図２参照）のうち容器本体３の上端面３１１ａから上方にはみ出た部分の高さ寸法よりも大きい。
【００２９】
つまり、容器本体３の内面高さ寸法と蓋体４の内面高さ寸法の和は、ケースＣの高さ寸法よりも大きい。本実施形態では、容器本体３の内面高さ寸法と蓋体４の内面高さ寸法との比率が３：１〜５：１とされている。ただし本発明はこれに限定されず、例えば、容器本体３の内面高さ寸法と蓋体４の内面高さ寸法が同一であったり、容器本体３の内面高さ寸法よりも蓋体４の内面高さ寸法が大きいものであったりしても構わない。
【００３０】
前後側壁４２０，４２０のそれぞれ前後方向外面（以下単に、外面と称する）における左右方向中心部には、荷役者や容器１のユーザー等が親指を当接させることで、安定して容器１を持ち上げることができる蓋体側把持部４３１が形成されている。この蓋体側把持部４３１は、前後側壁４２０，４２０のうち下部が該前後側壁４２０，４２０の幅方向（左右方向）全長に亘り、該側壁の外面よりも更に外方に突出して形成された蓋体突出部４３における幅方向中央部であり、その上部（本実施形態では上面４３１ａ）に荷役者等の指（具体的には親指）が当接する。本実施形態では、蓋体側把持部４３１における前後側壁４２０，４２０の外面からの突出寸法は２０mm〜４０mmで形成され、蓋体側把持部４３１の高さ寸法は１５mm〜４５mmで形成される。前後側壁４２０，４２０の外面から蓋体突出部４３が外方に突出したことにより、この蓋体突出部４３の分、前後側壁４２０，４２０の厚みが大きくなったことになる。このため、前後側壁４２０，４２０の強度が確保される。また、蓋体側把持部４３１が前記寸法とされたことにより、容器本体３に蓋体４が装着された状態において、前記本体側把持部３３１と蓋体側把持部４３１とに荷役者等の指を同時に掛けることができる。
【００３１】
また、この蓋体側把持部４３１は、容器本体３に蓋体４が装着された際に本体側把持部３３１に対して高さ方向に組み合わされるため、本体側把持部３３１に沿って当接する。この際、荷役者等が各把持部３３１，４３１を同時に把持することにより、荷役者等の指が本体側把持部３３１を上方に押圧し、これと同時に蓋体側把持部４３１を下方に押圧する。これにより各把持部３３１，４３１が密着することから、蓋体側把持部４３１が本体側把持部３３１を補強することになり、各把持部３３１，４３１の組み合わせ状態における曲げ強度を向上できる。
【００３２】
また、蓋体突出部４３のうち、蓋体側把持部４３１以外の左右部分の上方には肉厚部４２が形成されている。この肉厚部４２は、荷役者や容器１のユーザー等が本体側把持部３３１及び蓋体側把持部４３１に指を掛けて容器１を持ち上げた際に、蓋体突出部４３に集中的にかかる荷重（瓶入り飲料Ｂを収納したケースＣの荷重）の一部を、前記容器本体３の肉厚部３２と共に負担する。この肉厚部４２のため、蓋体側把持部４３１の上方部分は見かけ上凹部のようになっている。なお、この肉厚部４２は本発明において必須ではなく、肉厚部４２が形成されなくても構わない。
【００３３】
容器本体３と同様、左右側壁４１０，４１０の外面は、上方側ほど（天壁４０の裏面４０ｂ側に近付くほど）内側となる傾斜面に形成されている。また、左右側壁４１０，４１０の内面は、上方側ほど内側となる傾斜面に形成されている。なお、前記傾斜面の傾斜角度は１°に設定されているため、図面上では把握でき難い。前後側壁４２０，４２０に関しても同様である。
【００３４】
嵌合用凸部６は、容器本体３の嵌合用凹部５と着脱自在に嵌合される突起である。この嵌合用凸部６は、蓋体側壁４１の全周に沿って形成されている。嵌合用凹部５と嵌合用凸部６とを嵌合させることで、嵌合用凹部５と嵌合用凸部６とが密閉される（容器本体３と蓋体４とが密閉される）とともに、容器本体３の開口部２ａが蓋体４で覆われる。
【００３５】
この嵌合用凸部６は、略垂直面である側壁６１と、水平面である下面６２とを備える。側壁６１の高さ寸法は嵌合用凹部５の側壁５１の高さ寸法と略同一である。そして、下面６２の幅寸法は嵌合用凹部５の上面５２の幅寸法と略同一である。これにより、嵌合用凹部５と嵌合用凸部６とが嵌合した際に、側面６１は嵌合用凹部５の側壁５１に当接し、下面６２は嵌合用凹部５の上面５２に当接する。このため、嵌合用凹部５と嵌合用凸部６とをほぼ隙間無く嵌合させることができる。
【００３６】
そして蓋体４は、天壁４０の表面４０ａにおける矩形縁部に、補強用凸部４０１を備える。補強用凸部４０１は、天壁４０の矩形周方向に連続して設けられている。この補強用凸部４０１は、表面４０ａから突出するよう天壁４０に一体的に形成されている。この補強用凸部４０１は、全長に亘って同幅に形成されている。また、補強用凸部４０１の上面４０１ａは平坦面であり、全長に亘って表面４０ａから等しい高さに設定されている。
【００３７】
本実施形態では、補強用凸部４０１の表面４０ａからの突出高さは、容器本体３における突出部３０ｂの裏面３０ｄからの突出高さよりも大きい。そして、補強用凸部４０１に囲まれた表面４０ａの大きさは、容器本体３における突出部３０ｂの大きさよりも大きい。これにより、補強用凸部４０１の上面４０１ａに別の容器１の容器本体３における外周部領域３０ａが当接するようにして、複数の容器１〜１を上下方向に積み重ねることができる。
【００３８】
前記構成の容器１は、荷役者や容器１のユーザー等によって容器本体３の開口部２ａから、例えば、図２に符号Ｃで示す瓶入りビールＢ〜Ｂが収納された状態のビールケースが収納された後に、容器本体３に蓋体４が装着されることで開口部２ａが閉じられ（容器１の内部空間が外部に対してほぼ密封され）、容器１はこの状態で搬送に供される。
【００３９】
容器本体３に蓋体４を装着するには、容器本体３側に形成されている嵌合用凹部５に、その上方から蓋体４側に形成した嵌合用凸部６を位置合わせするようにして、嵌合用凹部５と嵌合用凸部６とを嵌合させる。
【００４０】
容器１（容器本体３及び蓋体４）は発泡性合成樹脂製であるため、緩衝作用により荷役時や搬送時の衝撃が瓶入りビールＢ〜Ｂに及ぶことを抑制できる。また、保温作用により瓶入りビールＢ〜Ｂを保冷しつつ搬送できる。また、各把持部３３１，４３１は、容器本体３に蓋体４が装着された状態において、本体側把持部３３１における下部（下面３３１ａ）に荷役者等の親指以外の指が掛けられ、蓋体側把持部４３１における上部（上面４３１ａ）に荷役者等の親指が掛けられるように構成されているため、荷役者等が容器１を安定して持ち上げることができる。
【００４１】
そして、前記構成の容器１は各突出部３３，４３により、短辺側側壁である前後側壁３２０，３２０及び前後側壁４２０，４２０の強度が確保される。このため、重量物である、ケースＣに収納された状態の瓶入り飲料Ｂ〜Ｂを収納しても、持ち上げ時に容器１が変形しにくい。また、容器本体３は、内面高さ寸法が収納されるケースの高さ寸法よりも小さいことから、蓋体４を容器本体３から取り外すとケースＣの上部が露出した状態となる。このため、容器本体３からケースＣを取り出すことが容易である。
【００４２】
また、前記構成の容器１にて、嵌合用凹部５は本体側壁３１における高さ方向端部の内側縁部に位置することから、該内側縁部が一段低くなる。このため、容器本体３からケースＣを取り出すことが更に容易である。また、結露水等の水分が嵌合用凹部５から内側へと流れ出るため、該嵌合用凹部５に溜まったままにならない。
【００４３】
本実施形態の容器１は、突出部３０ｂの下面３００ｂを床面に直接載置するよう用いたり、あるいは下面３００ｂを他の容器１の蓋体４の天壁４０の表面４０ａ上に位置するように積み重ねて用いたりすることが可能である。
【００４４】
なお、本発明の容器に収納される被搬送物としては、前記で説明した硬質樹脂製のケースに収納された瓶入り飲料（瓶入りビール等）に限定されるものではなく、本発明の容器には種々の重量物を被搬送物として収納可能である。
【００４５】
また、本実施形態の容器１は、大瓶用のビールケースを収納するのに好適な大きさに形成されているが、中瓶用や小瓶用のビールケースを収納するのに好適な大きさに形成されてもよい。
【符号の説明】
【００４６】
１…容器、３…容器本体、４…蓋体、５…嵌合用凹部、６…嵌合用凸部、３０…底壁、３１…本体側壁、４０…天壁、４１…蓋体側壁、３３１…把持部（容器本体側）、４３１…把持部（蓋体側）、３３１ａ…把持部の下部（容器本体側）、４３１ａ…把持部の上部（蓋体側）、Ｂ…瓶入り飲料、Ｃ…ケース
【図１】
2014172637.tif 000003
【図２】
2014172637.tif 000004